(57)【要約】      （修正有）【課題】使い勝手がよく、コーヒーや紅茶などの飲料を好みの味になるように簡単に所定時間で淹れられる。【解決手段】ハウジング４１が計時方向に回転し始めると、レバー４３がハウジング４１の回転に連動して従動体５２を押して従動体５２の一端部５２１が下降運動をすると、爪部５１が相対的に上昇運動をし、第１の作動部材３１と第２の作動部材３２とが連動して作動可能位置に上昇移動される。そして、遮蔽部材２６が第１の作動部材３１及び第２の作動部材３２に連動して持ち上げられて流出口開放位置に移動させると、流出口２３４が開放され、飲料が吐出される。【選択図】図１１
2015002982.tif 000002
【特許請求の範囲】
【請求項１】
底壁と該底壁の周縁から所定の軸線に沿う方向である軸線方向に沿って直立して延伸してなる周壁とから茶葉、コーヒー粉などの抽出原料及びお湯、水を入れるための収容部を画成した第１のカップを有し、前記底壁には飲料を抽出して流す流出口が設けられ、前記収容部には前記流出口が開放して前記第１のカップにて抽出した飲料を吐出する流出可能状態にする流出口開放位置と、前記流出口が閉塞されて抽出した飲料が吐出できない流出不能状態に保持される流出口閉塞位置とに前記軸線方向に沿って上下移動可能な遮蔽部材が取り付けられている第１のカップユニットと、
前記遮蔽部材と連動可能に連結されるように前記第１のカップユニットの前記軸線方向沿いの下側で前記遮蔽部材を前記流出口開放位置に移動させるように持ち上げる作動可能位置と、前記遮蔽部材を前記流出口閉塞位置に定位させる作動不能位置との間で可動に構成されており、前記遮蔽部材が連動可能に運動する従動体を有する作動ユニットと、
飲料吐出時間を設定するものであって、前記軸線方向に垂直な径方向を中心として前記飲料吐出時間を設定する設定方向と該設定方向と逆であって前記飲料吐出時間を計測する計時方向とに沿って回転するハウジングと、前記ハウジングの回転に連動可能に連結され前記従動体の運動を駆動可能に回動するレバーとを有するタイマー部とを備え、
前記ハウジングが前記計時方向に回転し、前記レバーが前記ハウジングの回転に連動して回動すると、前記従動体が駆動されて運動し、前記作動ユニットが前記作動可能位置にて、前記遮蔽部材を前記流出口開放位置に持ち上げるように動かされることを特徴とする飲料抽出器。
【請求項２】
前記作動ユニットは、
前記第１のカップに対して上下移動可能に設けられた第１の作動部材と、
前記第１の作動部材に連動可能に前記第１の作動部材の上側に連結された第２の作動部材と、
前記第１の作動部材と前記タイマー部とに連動可能に前記第１の作動部材及び前記タイマー部の間に設けられた第３の作動部材とが設けられ、
前記第１の作動部材は、前記軸線方向に窪んだウェブ部と、前記ウェブ部の両側から続いて延伸されてくの字形に折り曲げられた折曲部と、対応する前記折曲部のそれぞれから続いて前記軸線方向に直立して延伸された一対の脚部とを有するようにほぼＭ字形に形成され、
前記第２の作動部材は、前記軸線方向沿いにロッド状に延伸された柱状体として構成され、
前記従動体は、前記第３の作動部材の前記タイマー部側に設けられ、
前記第３の作動部材は更に、前記従動体の前記第１の作動部材側の先端に前記脚部に対応して接触する一対の爪部が設けられ、
前記第３の作動部材の前記従動体及び前記爪部の間には、前記従動体と前記爪部とが相対に運動することが可能な枢結部が前記第１のカップユニットに枢結されるように設けられていることを特徴とする請求項１に記載の飲料抽出器。
【請求項３】
更に前記軸線を中心として取り囲む収容スペースが形成されているベースを有し、前記ベースは、前記収容スペースを取り囲んで形成するように設けられた囲い壁と、前記囲い壁内に前記収容スペースを下部スペースと上部スペースとに仕切るように設けられた仕切り壁とを有し、前記仕切り壁には、前記遮蔽部材が前記流出口開放位置に移動したとき前記第１のカップ内の飲料を前記上部スペース側から前記下部スペース側に吐出するように前記流出口に対応して前記上部スペースと前記下部スペースとを連通する連通孔が設けられ、
前記第１のカップは、取り出し可能に前記上部スペースに設置され、
前記作動ユニットは、前記仕切り壁の前記軸線方向の上側に配置され、
前記タイマー部は、前記第１のカップユニットに対して前記囲い壁の前記軸線方向の側部に設けられ、
前記第１のカップユニットは更に、前記仕切り壁の上方に配置されると共に前記第１のカップが取り出し可能に前記ベースの上部スペースに設置されている取付座を有し、前記取付座は、前記第１のカップを載置する中空部を有する載置体と、前記第３の作動部材の前記枢結部を枢支するための枢支部とを有し、
前記載置体の前記軸線方向の底部には、前記流出口に対応して貫通孔が設けられ、
前記第１のカップユニットは更に、前記貫通孔と前記連通孔を通って前記仕切り壁及び前記取付座の間に固定され、中空部を画成した管壁を有する中空状の連通管を有し、
一対の前記爪部は、前記連通管を取り囲むように設けられ、
前記連通管には、互いに向かい合うように前記管壁の上端縁より下向きに切り込まれて形成された２つの切欠溝が設けられ、
前記第１の作動部材は、前記折曲部を前記軸線方向に平行して上下移動させて対応する前記切欠溝に挿入し、一対の前記脚部のそれぞれが前記連通管の外周面にて対応する前記爪部に当接するように配置され、
前記ベースは更に、前記タイマー部を取り付けるための取付空間を画成するように前記囲い壁の側部より前記径方向の外向きに突き出て形成された取付壁を有し、
前記ハウジングは、第１の中空部を画成するように前記軸線方向に平行に直立して形成された第１のベース壁と、前記第１のベース壁の周縁から前記径方向の内向きに延伸されて形成された第１の周壁とを有し、
前記第１のベース壁は、前記第１の中空部側の取付面を有し、
前記レバーは、前記取付面に設けられ、
前記タイマー部は更に、前記取付壁と前記ハウジングとにより取り囲まれて設けられた固定座と、前記飲料吐出時間を計測するように前記固定座に取り付けられた計時ユニットと、前記計時ユニットによる前記飲料吐出時間の計測が終わるとアラーム音を鳴らすよう駆動されるように前記固定座に取り付けられたアラームユニットとを有し、
前記固定座は、前記第１の中空部より径小な第２の中空部を画成するように前記第１の中空部内に前記第１のベース壁と所定の間隔をおいて平行に配置された第２のベース壁と、前記第２のベース壁の周縁から前記径方向の内向きに延伸されて形成された第２の周壁とを有し、
前記第２の周壁は、前記第３の作動部材に対応して前記従動体の一端部が前記取付壁から前記第１の中空部に挿入されるように、前記第２の周壁の外周面が前記第２の中空部側に窪んで前記収容スペースと前記第１の中空部とを連通する凹部が形成され、
前記レバーは更に、前記計時方向に向かう当て面部を有し、
前記タイマー部は更に、前記ハウジングの前記設定方向への回転に連動された前記レバーの回動角度を規制するよう前記当て面部に当接して定位させるように前記取付面に取り付けられているブロック部材を有することを特徴とする請求項２に記載の飲料抽出器。
【請求項４】
前記第１のカップユニットは更に、常に前記遮蔽部材とにより前記流出口を閉塞して前記底壁が開放しないように前記遮蔽部材及び前記流出口の間に取り付けられている緩衝部材を有し、
前記緩衝部材は弾性変形可能な材料からなり、前記載置体の底部に対応する内環部と、前記底壁と係合されるように前記内環部と所定の間隔をおいて形成された外環部と、前記内環部と前記外環部との間を連結する接続部と、相互に連通しないがそれぞれ前記連通管に連通するように所定の角間隔をおいて前記接続部の前記内環部側に設けられた複数の通孔とを有することを特徴とする請求項３に記載の飲料抽出器。
【請求項５】
更に前記第１のカップから吐出された飲料を受けることができるように前記第１のカップの前記軸線方向の下側に取り出し可能に設けられた第２のカップを有し、
更に前記軸線を中心として取り囲む収容スペースが形成されているベースを有し、前記ベースは、前記収容スペースを取り囲んで形成するように設けられた囲い壁と、前記囲い壁内に前記収容スペースを下部スペースと上部スペースとに仕切るように設けられた仕切り壁とを有し、
前記第１のカップは前記上部スペースに取り出し可能に設置され、
前記第２のカップは前記下部スペースに取り出し可能に設置され、
前記仕切り壁には、前記遮蔽部材が前記流出口開放位置に移動したとき前記第１のカップ内の飲料を前記上部スペース側から前記下部スペース側に吐出して、前記第２のカップに流入させるように前記流出口に対応して前記上部スペースと前記下部スペースとを連通する連通孔が設けられ、
前記作動ユニットは、前記仕切り壁の前記軸線方向の上側に配置され、
前記タイマー部は、前記第１のカップユニットに対して前記囲い壁の前記軸線方向の側部に設けられていることを特徴とする請求項１に記載の飲料抽出器。
【発明の詳細な説明】
【技術分野】
【０００１】
本発明は、例えばコーヒー、紅茶、ハーブティー等の飲料を抽出するための飲料抽出器である。
【背景技術】
【０００２】
従来、紅茶、ハーブティー等の茶葉などからお湯を入れて一定の時間を経て飲料を抽出してコップに吐出する飲料抽出器としては種々の形態のものが知られており、例えば特許文献１に記載の飲料抽出器がその一例である。従来の飲料抽出器は、受け容器にお湯を入れて茶葉をフィルタを介してボール体に入れるように用意し、トップカバーを回すと、タイマーが連動して吐出時間がセットされると同時に、ぜんまいがばね回復力を有するように回されると共に可動リングも連動して回転することによって、ボール体とフィルタとが押されて受け容器に下降し、ボール体内の茶葉が受け容器のお湯に浸るようになる。その後、セットされた吐出時間が経過すると、ぜんまいのばね回復力によって茶葉がお湯から離れると共にボール体及びフィルタが受け容器から離れる。これによって飲料を受け容器に吐出することができる。
【先行技術文献】
【特許文献】
【０００３】
【特許文献１】台湾特許第２７２０８５号明細書
【発明の概要】
【発明が解決しようとする課題】
【０００４】
従来の飲料抽出器では、各自の好みの味に応じた所定時間で抽出してカップなどの受け容器に吐出したお茶を手軽に飲むことができるが、タイマーとトップカバーとボール体などが一体に構成されているので、受け容器を洗うことや、受け容器を持ってお茶を飲むときに茶葉を浸した残湯が落ちないようにトップカバーを逆向きに持ったりトップカバーをボールなどに置いたりするようにしなければならないため、使い勝手が悪い問題点がある。
【０００５】
本発明は、上記問題点に鑑みてなされるものであり、使い勝手がよく、コーヒーや紅茶などの飲料を好みの味になるように簡単に所定時間で淹れることができる飲料抽出器を提供することを目的とする。
【課題を解決するための手段】
【０００６】
上記目的を達成するために、本発明に係る飲料抽出器は、底壁と該底壁の周縁から所定の軸線に沿う方向である軸線方向に沿って直立して延伸してなる周壁とから茶葉、コーヒー粉などの抽出原料及びお湯、水を入れるための収容部を画成した第１のカップを有し、前記底壁には飲料を抽出して流す流出口が設けられ、前記収容部には前記流出口が開放して前記第１のカップにて抽出した飲料を吐出する流出可能状態にする流出口開放位置と、前記流出口が閉塞されて抽出した飲料が吐出できない流出不能状態に保持される流出口閉塞位置とに前記軸線方向に沿って上下移動可能な遮蔽部材が取り付けられている第１のカップユニットと、前記遮蔽部材と連動可能に連結されるように前記第１のカップユニットの前記軸線方向沿いの下側で前記遮蔽部材を前記流出口開放位置に移動させるように持ち上げる作動可能位置と、前記遮蔽部材を前記流出口閉塞位置に定位させる作動不能位置との間で可動に構成されており、前記遮蔽部材が連動可能に運動する従動体を有する作動ユニットと、飲料吐出時間を設定するものであって、前記軸線方向に垂直な径方向を中心として前記飲料吐出時間を設定する設定方向と該設定方向と逆であって前記飲料吐出時間を計測する計時方向とに沿って回転するハウジングと、前記ハウジングの回転に連動可能に連結され前記従動体の運動を駆動可能に回動するレバーとを有するタイマー部とを備え、前記ハウジングが前記計時方向に回転し、前記レバーが前記ハウジングの回転に連動して回動すると、前記従動体が駆動されて運動し、前記作動ユニットが前記作動可能位置にて、前記遮蔽部材を前記流出口開放位置に持ち上げるように動かされることを特徴とする。
【発明の効果】
【０００７】
本発明に係る飲料抽出器は、ハウジングが計時方向に回転し、レバーがハウジングの回転に連動して従動体を押して運動させると、作動ユニットが連動して作動可能位置に動かされたとき、遮蔽部材が作動ユニットに連動して持ち上げられて流出口開放位置に移動すると、流出口が開放される。これによって、第１のカップにて抽出した飲料を下側に吐出させて流出することができるので、コーヒーや紅茶などの飲料を好みの味になるように簡単に所定時間で抽出することができる。また、第１のカップが取り出し可能に設置されているので、使い勝手がよい。
【図面の簡単な説明】
【０００８】
【図１】本発明に係る飲料抽出器の一つの実施形態の構成を示す組合斜視図である。
【図２】図１における線II−IIの縦断面図である。
【図３】図１の一部の構成を示す分解斜視図である。
【図４】本発明に係る飲料抽出器において飲料の抽出を停止し、飲料の流出口が遮蔽された状態を示す一部正面図である。
【図５】本発明に係る飲料抽出器において飲料の抽出を停止し、飲料の流出口が遮蔽された状態を示す一部側面図である。
【図６】本発明に係る飲料抽出器の一部を分解して示す斜視図である。
【図７】図１において一部を省いて示す斜視図である。
【図８】本発明に係る飲料抽出器の作動状態を示す説明図である。
【図９】本発明に係る飲料抽出器の作動状態を示す説明図である。
【図１０】本発明に係る飲料抽出器の作動状態を示す説明図である。
【図１１】本発明に係る飲料抽出器において流出口が開放されて飲料の抽出が行われている状態を示す一部正面図である。
【発明を実施するための形態】
【０００９】
以下、本発明に係る飲料抽出器の一つの実施形態について図面を参照して説明する。
（実施形態）
図１、図２は、本発明に係る飲料抽出器の一つの実施形態の構成を示している。本発明に係る飲料抽出器は、紅茶、ハーブティー等の茶葉系飲料だけではなく、コーヒーなどの粉系飲料を抽出するのにも適用されるものである。図中、符号１は所定の軸線Ｏを中心として取り囲む収容スペース１０を形成した筐体状のベース、２は茶葉、コーヒー粉などの抽出原料及びお湯、水を入れるための第１のカップ２３を有する第１のカップユニット、６は、茶、コーヒーなどの飲料を抽出して入れるための第２のカップ、４は、ベース１に設けられたタイマー部、３は、第１のカップ２３及び第２のカップ６の間を遮断したり連通したりする作動ユニットである。なお、第１のカップ２３は取っ手２３３が取り付けられている。第２のカップ６も取っ手（図１参照）が付いている。
【００１０】
ベース１は、例えば軸線Ｏに沿う方向である軸線方向と垂直な水平面に平行するように設けられた水平壁１１と、収容スペース１０を取り囲んで形成するように水平壁１１の周縁より直立して設けられた囲い壁１２と、囲い壁１２内で収容スペース１０を下部スペース１０１と上部スペース１０２とに仕切るように設けられた仕切り壁１３と、タイマー部４を取り付けるための取付空間を画成するように囲い壁１２の側部より突き出て形成された取付壁１４とを有する。
【００１１】
囲い壁１２は、下部スペース１０１と連通する出入り口１２１と、第１のカップ２３の取っ手２３３が取り入れられて定位されるように囲い壁１２の上端縁より水平壁１１側に切り込んで形成されたスロット１２２とが設けられている。取付壁１４は、ユーザーが外側から見ながらタイマーを掛けることができるよう合わせ目盛り１４１が平面状又は凹凸状に付けられている。なお、ベース１は、実施上一体状に成型してもよく、数個の壁部から組み合わせてなるように構成されてもよい。
【００１２】
第１のカップユニット２は、仕切り壁１３の上方にベース１の上部スペース１０２に設置されており、図３に示されているように、取付座２１と、連通管２２と、第１のカップ２３と、蓋部材２４と、緩衝部材２５と、遮蔽部材２６と、フィルタ部材２７とを有する。取付座２１は、仕切り壁１３の上部に設けられ、第１のカップ２３は、茶葉、コーヒー粉などの抽出原料を入れる収容部を有し、取付座２１に着脱可能に設置され、取り外しができる蓋部材２４により蓋することができる。第１のカップ２３の内側の底部に上から順に網状のフィルタ部材２７と円盤状の遮蔽部材２６と緩衝部材２５とが組み合わされて取り付けられている。
【００１３】
取付座２１は、第１のカップ２３を載置する中空部を有する載置体２１１と、載置体２１１の底部から突き出て形成されており載置体２１１を例えばねじで螺結するように仕切り壁１３に対して固定して定位する数本の支持柱２１２と、作動ユニット３を枢支するための少なくとも１つの枢支部２１３とを有する。載置体２１１の底部は軸線方向の下向きに径小になるラッパ状に形成されており、一番低いところに貫通孔２１４が設けられ、仕切り壁１３には貫通孔２１４に対応して下部スペース１０１と上部スペース１０２とを連通する連通孔１３１が設けられている。
【００１４】
連通管２２は、中空部を画成した管壁２２１を有する中空状の筒体であり、貫通孔２１４と連通孔１３１を通って仕切り壁１３及び取付座２１の間に固定されている。連通管２２には互いに向かい合うように管壁２２１の上端縁より下向きに切り込まれて形成された２つの切欠溝２２２が設けられている。
【００１５】
第１のカップ２３は、茶葉、コーヒー粉などの抽出原料、お湯、水を入れる収容部を有するように例えば環状の底壁２３１と底壁２３１の周縁から直立して延伸してなる環状の周壁２３２とを有し、第１のカップ２３が取付座２１に載置されたとき外部に取り出すことができるように、取っ手２３３が周壁２３２にスロット１２２を通って外部に突き出るように取り付けられている。底壁２３１には、貫通孔２１４及び連通孔１３１に対応して該貫通孔２１４と連通する流出口２３４が設けられている。
【００１６】
緩衝部材２５は、例えばシリコーンなどの弾性変形できる材料で凹凸状につくられ、常に遮蔽部材２６とにより流出口２３４を閉塞して第１のカップ２３の底壁２３１が開放しないように遮蔽部材２６及び流出口２３４の間に取り付けられている。この形態では、緩衝部材２５は、例えば円環状に構成されており、載置体２１１の底部の一番低いところに対応する内環部２５１と、底壁２３１と係合されるように内環部２５１と所定の間隔をおいて形成された外環部２５２と、内環部２５１と外環部２５２との間を連結する接続部２５３と、相互に連通しないがそれぞれ連通管２２に連通するように所定の角間隔をおいて接続部２５３の内環部２５１側に設けられた複数の通孔２５４とを有する。緩衝部材２５を設けていることによって、飲料が第１のカップ２３から流出口２３４を流れ出る際の流速を緩和させることができるので、飲料が流出口２３４を介して一気に第２のカップ６に流れてはねることを防ぐことができる。
【００１７】
遮蔽部材２６は、流出口２３４が開放して第１のカップ２３にて抽出した飲料を吐出する流出可能状態にする流出口開放位置と、流出口２３４が閉塞されて抽出した飲料を吐出できない流出不能状態に保持される流出口閉塞位置とに軸線方向に沿って上下移動可能に緩衝部材２５の上側に配置された平板部材である。フィルタ部材２７は、遮蔽部材２６の上側に配置されており、第１のカップ２３内の茶葉などが連通管２２に通されて第２のカップ６に落ちないように例えば網状のろ過部を有する。なお、フィルタ部材２７は例えばシート形状や碗形状になったものであり、そのろ過部の縦断面が一例として一の字形を形成しているが、半円形状、ラッパ形状、三角形でもよく、また、その平面視で一例として円形に形成しているが、方形、三角形であってもよい。
【００１８】
作動ユニット３は、遮蔽部材２６と連動して共に移動可能に連結されるように、第１のカップユニット２の軸線方向沿いの下側で、遮蔽部材２６を流出口開放位置に移動させるように持ち上げる作動可能位置と、遮蔽部材２６を流出口閉塞位置に定位させる作動不能位置との間で可動に設けられているもので、第１のカップ２３に対して上下移動可能に設けられた第１の作動部材３１と、第１の作動部材３１と連動可能に第１の作動部材３１の上側に連結された第２の作動部材３２と、第１の作動部材３１に連動可能に第１の作動部材３１の下側に連結された第３の作動部材５とが設けられている。
【００１９】
第１の作動部材３１は、一例として軸線方向に平行な扁平状板体を折り曲げて、仕切り壁１３側に軸線方向に窪んだウェブ部３１０と、このウェブ部３１０の両側から続いて延伸されてくの字形に折り曲げられた折曲部３１２、３１２と、対応する折曲部３１２、３１２のそれぞれから続いて仕切り壁１３側に軸線方向に直立して延伸された一対の脚部３１１、３１１とを有するようにほぼＭ字形に形成されている。ウェブ部３１０は、第２の作動部材３２をその両側から受け入れて支えるよう第２の作動部材３２側に直立して突き出た一対の突起３１３、３１３が形成されている。一対の脚部３１１、３１１はそれぞれの先端部を脚部３１１の延伸方向と垂直に外側に折り曲げてタブ３１１ａが形成されている。第２の作動部材３２は、軸線方向沿いにロッド状に延伸された柱状体として構成されており、その下部から切り込んでスリット状の係止溝３２０が形成されている。ウェブ部３１０が係止溝３２０に嵌入されて第１の作動部材３１と第２の作動部材３２とが連結されている。
【００２０】
第３の作動部材５は、第１の作動部材３１とタイマー部４とに連動可能に設けられており、図６に示されているように、軸線方向に垂直且つタイマー部４から連通管２２に至るように長手状に延伸された板体で構成された従動体５２と、従動体５２の連通管２２寄りの先端が連通管２２を取り込んで挟持すると共に一対のタブ３１１ａのそれぞれに対応して接触するようにフォーク状に分岐された一対の爪部５１とを有するように第１のカップ２３側の上面部５ａと第２のカップ６側の下面部５ｂとを有する板体で構成されている。従動体５２の爪部５１寄りの下面部５ｂには枢結ピン５２５によって取付座２１の枢支部２１３と枢結される枢結部５２２が設けられている。従動体５２の爪部５１から離れた一端部５２１がタイマー部４側に差し入れるように延伸されていると共に、一端部５２１と反対側の爪部５１の先端部５１１に脚部３１１のタブ３１１ａが当接するように設けられている。一対の爪部５１は、その従動体５２側が厚く、タブ３１１ａと接触する側が薄いように下面部５ｂから上面部５ａに向かって薄肉に形成されている。また、第３の作動部材５は、従動体５２の長手方向の一側部５２３と他側部５２４とを有する。
【００２１】
作動ユニット３を連通管２２と組み立てるとき、まず第２の作動部材３２を連通管２２の中央部に入れながら第１の作動部材３１のウェブ部３１０を第２の作動部材３２の係止溝３２０に嵌入すると、第２の作動部材３２が突起３１３、３１３に挟まれてウェブ部３１０に載置・定位され、折曲部３１２、３１２を軸線方向に平行して可動できるように対応する切欠溝２２２、２２２に挿入すると、一対の脚部３１１、３１１のそれぞれが連通管２２の外周面にて対応する爪部５１、５１の先端部５１１、５１１に当たるように配置される。また、柱状体の第２の作動部材３２がその頭部より第１のカップ２３の流出口２３４に進入すると共に、第２の作動部材３２が緩衝部材２５に通って遮蔽部材２６と連動可能に連結される。なお、第１の作動部材３１と第２の作動部材３２は一体状に構成されてもよい。
【００２２】
タイマー部４は、飲料を吐出する時間である飲料吐出時間を設定するものであり、図４、図６〜図８に示されているように、作動ユニット３を駆動するように作動ユニット３と接触可能に設けられており、ハウジング４１と、固定座４２と、レバー４３と、ブロック部材４４と、計時ユニット４５と、アラームユニット４６とを有する。
【００２３】
ハウジング４１は、軸線方向に垂直な径方向を中心として飲料吐出時間を設定する設定方向７１と、設定方向７１と逆であって飲料吐出時間を計測する計時方向７２とに沿って回転可能に取付壁１４に例えば突き当たるように取り付けられ、軸線方向に平行に直立してほぼ円形状に形成された第１のベース壁４１１と、第１のベース壁４１１の周縁から径方向の内向きに延伸されて形成された第１の周壁４１２とにより第１の中空部を画成するように一方が開放された有底の筒状体である。第１のベース壁４１１は、その第１の中空部側の取付面４１３を有する。第１の周壁４１２の外周面に飲料吐出時間を設定する設定目盛り４１４が設けられている。なお、設定目盛り４１４は、第１の周壁４１２の外周面に対して平らに付けられてもよく、突き出て設けられてもよい。
【００２４】
固定座４２は、例えば取付壁１４とハウジング４１とにより取り囲まれるように設けられており、ハウジング４１の第１の中空部内に第１のベース壁４１１と所定の間隔をおいて平行に配置された第２のベース壁４２１と、第２のベース壁４２１の周縁から径方向の内向きに延伸されて形成された第２の周壁４２２とにより第１の中空部より径小な第２の中空部を画成するように一方が開放された有底の筒状体である。第２の周壁４２２は、第３の作動部材５に対応して従動体５２の一端部５２１が取付壁１４から第１の中空部に挿入されるように第２の周壁４２２の外周面が第２の中空部側に窪んで収容スペース１０と第１の中空部とが連通する凹部４２３が形成されている。
【００２５】
レバー４３は、ハウジング４１の回転に連動して設定方向７１沿いに飲料吐出時間を設定した設定位置（つまり合わせ目盛り１４１から設定目盛り４１４が離れた位置）と、計時方向７２沿いに飲料吐出時間を計測し終わった計時終了位置（つまり設定目盛り４１４が合わせ目盛り１４１に一致した位置）との間で回動可能に取付面４１３に設けられ、ハウジング４１に枢結された枢結端部４３１と、枢結端部４３１に対して回転できる可動端部４３２と、枢結端部４３１と可動端部４３２とを接続すると共に従動体５２の一端部５２１に当接すると該一端部５２１を下げることができるように計時方向７２に向かってアーク状に突き出た凸面部４３３と、凸面部４３３と反対側であって枢結端部４３１と可動端部４３２とを接続すると共に設定方向７１に向かってブロック部材４４と当接する当て面部４３４とを有する。
【００２６】
ブロック部材４４は、レバー４３の当て面部４３４に当接して定位させるようにハウジング４１の取付面４１３に取り付けられている。計時ユニット４５は、例えば飲料の吐出時間を計測するもの、アラームユニット４６は、計時ユニット４５による飲料吐出時間の計測が終わると鳴るように駆動されるものである。計時ユニット４５及びアラームユニット４６は、固定座４２内に取り付けられている。なお、計時ユニット４５及びアラームユニット４６は、従来周知の技術を用いればよく、特に制限されない。
【００２７】
第２のカップ６は、例えば図１、図４に示されているように、第１のカップ２３内の飲料が上部スペース１０２側から下部スペース１０１側に吐出された際に該飲料を受けるよう、出入り口１２１を介してベース１の下部スペース１０１に取り出しができるように水平壁１１に載置される。
【００２８】
レバー４３は、ハウジング４１の回転に連動して回動すると、第３の作動部材５の一端部５２１と当接して第３の作動部材５の一端部５２１が枢結部５２２を中心として上下運動をし、先端部５１１も連動して枢結部５２２を中心として相対的に上下運動をする。この上下運動に伴って、遮蔽部材２６及び第１の作動部材３１と第２の作動部材３２は、第３の作動部材５の先端部５１１が第２の作動部材３２に対して跳ね上がることで、緩衝部材２５が弾性変形しながら、第２の作動部材３２を軸線方向に沿って持ち上げると共に、遮蔽部材２６が連動して持ち上げられて、流出口２３４が開放されて抽出した飲料が吐出される流出可能状態となる流出口開放位置と、第３の作動部材５の先端部５１１が第２の作動部材３２に対して下がることで弾性変形された緩衝部材２５が元の状態に回復しながら遮蔽部材２６と第２の作動部材３２とが下降して流出口２３４が閉塞されて飲料が吐出できない流出不能状態に保持される流出口閉塞位置との間で移動するように上下動することができる。
【００２９】
次に、上記のように構成された本発明に係る飲料抽出器の動作及び作用について説明する。
【００３０】
図４、図５、図８に示されているように、第１の作動ユニット３１と第２の作動ユニット３２と遮蔽部材２６とは、流出口２３４が閉塞されて抽出された飲料を吐出できない状態にされた流出口閉塞位置に定位されたとき、茶葉などの抽出原料とお湯などを第１のカップ２３に入れて、飲料の抽出・吐出を用意する。このとき、ハウジング４１の設定目盛り４１４が合わせ目盛り１４１に凹凸係合されると共に、レバー４３の当て面部４３４が第３の作動部材５の一側部５２３側に臨んで定位される。
【００３１】
図８、図９に示されているように、ユーザーは指などでハウジング４１を設定方向７１に沿って回すと、設定目盛り４１４を合わせ目盛り１４１との係合から解放してずらすように移動させる。なお、飲料を好みの濃度にするようにハウジング４１を回せばよいが、飲料吐出時間を長く設定する場合、設定目盛り４１４が合わせ目盛り１４１から遠く離れることになる。茶、コーヒーなどの種類に応じてベース１には最適な濃度を得る時間を表す目盛りを他に設けても良い。
【００３２】
レバー４３は、ハウジング４１の設定方向７１への回転に連動して動かされると、第３の作動部材５の一端部５２１の一側部５２３に当接すると同時に、レバー４３は、枢結端部４３１を中心として計時方向７２に沿って一側部５２３を超えながら回動されながら、第３の作動部材５の一端部５２１を押す（図８、点線をそえた箇所参照）。レバー４３が第３の作動部材５の一端部５２１の一側部５２３を越えると、図９に示されたように、他側部５２４側に移動され、ハウジング４１は、設定目盛り４１４が合わせ目盛り１４１から離れて回動される。
【００３３】
ハウジング４１からユーザーの指を放すと、ハウジング４１の設定目盛り４１４が計時方向７２に沿って回動を始め、計時が始まる。ハウジング４１は設定目盛り４１４が合わせ目盛り１４１に近づくように回動しながら、設定目盛り４１４と合わせ目盛りとが一致して凹凸係合すると、ハウジング４１の回転が停止されると共に、アラームユニット４６が例えば「チン」などのアラーム音を鳴らす。アラーム音により、飲料の抽出・吐出が終了したことが知らされる。
【００３４】
次に、飲料の抽出状態において主要構成部材の動作及び作用を図９〜図１１を参照して説明する。
【００３５】
ユーザーの指などで設定目盛り４１４が合わせ目盛り１４１から離れるようにハウジング４１を設定方向７１に沿って回して指をハウジング４１から放すと、ハウジング４１が計時方向７２に沿って回動を始める。そして、レバー４３がハウジング４１の回動に連動して第３の作動部材５の一端部５２１の他側部５２４に近づくように動かされる。レバー４３は、第３の作動部材５に当接すると、枢結端部４３１を中心として設定方向７１に沿って回る。このとき、ブロック部材４４がレバー４３の当て面部４３４に当接することによって、レバー４３が第３の作動部材５の両側部５２３、５２４を越えてすぐ両側部５２３、５２４に臨んで定位されるようにレバー４３の揺動角度を規制すると共に、第３の作動部材５の上下動角度を規制することができる。そして、レバー４３はハウジング４１の計時方向７２への回動に連動して凸面部４３３によって第３の作動部材５の他側部５２４を越えながら、第３の作動部材５の一端部５２１を押す（図１０、図１１）。第３の作動部材５の一端部５２１が押されると、枢結部５２２を中心として下降された一端部５２１に対して爪部５１が上昇され、先端部５１１が跳ね上がる。跳ね上がった先端部５１１によって第１の作動部材３１と第２の作動部材３２とを軸線方向の上側に向かって移動させる。第１の作動部材３１と第２の作動部材３２とが第３の作動部材５によって持ち上げられると、緩衝部材２５の内環部２５１と接続部２５３とが上側に弾性変形し、遮蔽部材２６も連動して持ち上げられて流出口開放位置に移動される。遮蔽部材２６が流出口開放位置に移動されると、流出口２３４が開放して第１のカップ２３の底壁２３１が開放する。流出口２３４が開放されると、第１のカップ２３の抽出した飲料が流出口２３４、通孔２５４と、連通管２２の中空部と、連通孔１３１とを通ってベース１の下部スペース１０１に向かって第２のカップ６に吐出される。こうして飲料の吐出が完了する。ユーザーは出入り口１２１を介して第２のカップ６を取り出して飲用することができる。
【００３６】
なお、この形態では、レバー４３が第３の作動部材５を押す時間と、レバー４３が第３の作動部材５の両側部５２４、５２３間を移動する時間とが等しく、また、そのどちらも、飲料を第２のカップ６に吐出し終わるとアラーム音を鳴らすよう第１の作動部材３１及び第２の作動部材３２によって遮蔽部材２６を持ち上げる時間と等しくなるように飲料吐出時間をセットするように構成されている。
【００３７】
そして、図４、図８、図１０を参照するに、レバー４３が第３の作動部材５を押した状態（図１０）から、第３の作動部材５の一端部５２１を押さず一側部５２３側に移動された状態（図８）に回動されると、一端部５２１の押された状態が解除される。一端部５２１はこの押された状態が解除されると、枢結部５２２を中心として回動されて上がると共に、先端部５１１が下がる。第３の作動部材５の先端部５１１が下がると、第１の作動部材３１及び第２の作動部材３２が連動して下がり、緩衝部材２５が自身の弾性により元の状態に回復し、第１の作動部材３１及び第２の作動部材３２による遮蔽部材２６への押し力が解除され、遮蔽部材２６も下降する。これによって、遮蔽部材２６が底壁２３１に近づいて流出口閉塞位置に移動し、流出口２３４が閉塞される。こうして、飲料の吐出が完了する。
【００３８】
この形態では、レバー４３が枢結端部４３１を中心として揺動するように構成されていることで、例えば図８において、レバー４３の当て面部４３４が第３の作動部材５の一側部５２３から、当て面部４３４の先端が第３の作動部材５の一端部５２１に接触しながら摺動するとき、第３の作動部材５の一端部５２１が下がらないので、第１の作動部材３１及び第２の作動部材３２と遮蔽部材２６とは軸線方向沿いに上がることもないため、第１のカップ２３における飲料が流出しないが、当て面部４３４の先端が第３の作動部材５の一端部５２１に接触しながら摺動するとき、第３の作動部材５の一端部５２１が下がって、第１の作動部材３１及び第２の作動部材３２と遮蔽部材２６とを軸線方向沿いに上げることがあっても、当て面部４３４の先端の第３の作動部材５の一端部５２１での接触摺動は速く、一端部５２１をすぐ越えることができるため、第１のカップ２３の飲料の流出も少なくてすむ。もちろん、使用時、このことを考慮してハウジング４１を計時終了位置に回してアラームを掛けることができる。なお、場合によって、ブロック部材４４を省略し、レバー４３をハウジング４１に揺動せずに設置するようにしてもよい。
【００３９】
以上のように構成された本発明に係る飲料抽出器は、飲料吐出時間を設定するべく所定の設定位置にタイマーをかけて、該飲料吐出時間の計時が終了すると、飲料が自動的に第２のカップ６に抽出されて淹れられるので、好みに応じたお茶などを手軽に飲むことができる。
【産業上の利用可能性】
【００４０】
本発明に係る飲料抽出器は、コーヒー、紅茶、ハーブティー等の飲料を淹れるための飲料抽出器として有用である。
【符号の説明】
【００４１】
１  ベース
１０  収容スペース
１０１  下部スペース
１０２  上部スペース
１１  水平壁
１２  囲い壁
１２１  出入り口
１２２  スロット
１３  仕切り壁
１３１  連通孔
１４  取付壁
１４１  合わせ目盛り
２  第２のカップユニット
２１  取付座
２１１  載置体
２１２  支持柱
２１３  枢支部
２１４  貫通孔
２２  連通管
２２１  管壁
２２２  切欠溝
２３  第１のカップ
２３１  底壁
２３２  周壁
２３３  取っ手
２３４  流出口
２４  蓋部材
２５  緩衝部材
２５１  内環部
２５２  外環部
２５３  接続部
２５４  通孔
２６  遮蔽部材
２７  フィルタ部材
３  作動ユニット
３１  第１の作動部材
３１０  ウェブ部
３１１  脚部
３１１ａ  タブ
３１２  折曲部
３１３  突起
３２  第２の作動部材
３２０  係止溝
４  タイマー部
４１  ハウジング
４１１  第１のベース壁
４１２  第１の周壁
４１３  取付面
４１４  設定目盛り
４２  固定座
４２１  第２のベース壁
４２２  第２の周壁
４２３  凹部
４３  レバー
４３１  枢結端部
４３２  可動端部
４３３  凸面部
４３４  当て面部
４４  ブロック部材
４５  計時ユニット
４６  アラームユニット
５  第３の作動部材
５１  爪部
５１１  先端部
５２  従動体
５２１  一端部
５２２  枢結部
５２３  一側部
５２４  他側部
５２５  枢結ピン
５ａ  上面部
５ｂ  下面部
６  第２のカップ
７１  設定方向
７２  計時方向
Ｏ  軸線
【図１】
2015002982.tif 000003
【図２】
2015002982.tif 000004
【図３】
2015002982.tif 000005
【図４】
2015002982.tif 000006
【図５】
2015002982.tif 000007
【図６】
2015002982.tif 000008
【図７】
2015002982.tif 000009
【図８】
2015002982.tif 000010
【図９】
2015002982.tif 000011
【図１０】
2015002982.tif 000012
【図１１】
2015002982.tif 000013